(57)【要約】【課題】熔接や蝶番などを使用せずドア枠に簡単に取り付けられるドアパネルの組み付け装置を提供する。【解決手段】定位柱１と複数の固定座台２と複数の連接片３とで構成される。定位柱は、ドア枠の上横桿と下横桿との間に設置され、上下一列に複数の座台孔を有する。固定座台は、定位柱の座台孔の内側に熔接で固定され、座台孔と相対する隙間孔１１と、隙間孔の両側から直角に変曲する低壁２３と、低壁の間に設けられ中心にねじ孔２５を持つ固定部２４とを有する。連接片は、直立部３１と水平縦部３２と水平横部３３と差しこみ部３４とを持ち、直立部の中央にはねじ孔３５を有し、水平横部にはピン孔３６を有する。【選択図】図１
0003130184.tif 000002
【実用新案登録請求の範囲】
【請求項１】
ドア枠の上横桿と下横桿との間に設置され、上下一列に所定の間隔をへだてて設置される複数の座台孔を持つ定位柱と、
前記定位柱の前記座台孔の内側に熔接で固定され、前記座台孔と相い向かう隙間孔と、前記隙間孔の両側から後に直角に変曲する低壁と、両低壁の間に連続して設けられ且つ中心にねじ孔を持つ複数の固定座台と、
Ｌ字形に形成され、直立部と水平縦部と水平横部とＬ字形差しこみ部とを持ち、前記直立部にはほぼ中央にねじ孔を持ち、前記水平縦部は前記直立部の下端から直角に前方に伸び出ており、前記水平横部は前記水平縦部から横方向に伸び出ており且つピン孔を持ち、前記差しこみ部は前記直立部の上端から上方に伸び出ている複数の連接片と、を備え、
前記連接片の前記直立部と前記差しこみ部とは前記定位柱の前記座台孔の中に差しこまれ、前記差しこみ部は前記固定座台の前記固定部の上端と前記隙間孔の上縁との間に定位され、ねじは前記固定座台の前記ねじ孔と前記直立部の前記ねじ孔とにねじこまれ、前記連接片が前記固定座台２に固設され、各ドアパネルが上下二個の前記連接片の前記水平縦部と前記水平横部との間、或いはドア枠の上横桿と前記連接片の前記水平縦部と前記水平横部との間、或いは前記連接片の前記水平縦部と前記水平横部との間に置かれ、前記ピンが前記連接片の前記水平横部の前記ピン孔と前記ピン孔とに差しこまれ前記パネルが安定されることを特徴とするドアパネルの組み付け装置。
【請求項２】
前記定位柱には前記座台孔の上方と下方とに各一突起孔を持ち、前記固定座台の前記隙間孔の上方と下方には各一はめ突起を持ち、前記固定座台が前記定位柱に熔接される前に前記突起孔と前記はめ突起とをはめ合わせ、前記固定座台の前記隙間孔と前記定位柱の前記座台孔とが正しく向かい合っていることを特徴とする請求項１に記載のドアパネルの組み付け装置。
【請求項３】
前記連接片は前記定位柱に固定されている前記固定座台に組み付けられ、前記連接片の前記水平縦部の内端部の底面が前記定位柱の前記座台孔の下端縁に支えられ、前記連接片の安定性が増加されていることを特徴とする請求項１に記載のドアパネルの組み付け装置。
【考案の詳細な説明】
【技術分野】
【０００１】
本考案は、ドアのドア枠にパネルを組み付ける装置に関する。
【背景技術】
【０００２】
従来、一般のドア枠にパネルを組み付けるには、枠内の空間の大小に応じて複数のパネルを固定式に熔接するか、或いは蝶番などで連接するかであり、その取りはずし又は上下移動などができず、業者は購買者の注文に従って固定式にドア枠にパネルを組み付けている。
【考案の開示】
【考案が解決しようとする課題】
【０００３】
本考案は、ドアのパネルのドア枠に規則的な一定の寸法の空間を作り、その空間にパネルを連接して組み付け、取りはずしが簡単にでき、取りかえ又は上下に移動できる様にし、熔接又は蝶番などの面倒な処置をせずパネルをドア枠に組み付ける装置を提供することをその課題とする。
【課題を解決するための手段】
【０００４】
本考案では、ドアパネルをドア枠に熔接や蝶番などを使用せず簡単に取り付けられる様に、先ずドア枠の上横桿と下横桿との間に固設される定位柱を設け、この定位柱には上下にある間隔をへだてて一列に複数の座台孔を設け、更にこの座台孔に向かい合わせて固定座台を定位柱に熔接して固定し、又固定座台にはねじで組み付けられるＬ字形の連接片をねじつけ、この連接片の水平部で各パネルを支えると共に更にピンを設けてパネルの上端に設けているピン孔にピンを差しこんでパネルを安定させ、パネルをドア枠に組み付けられる様にする。
【考案を実施するための最良の形態】
【０００５】
本実施例のドアパネルの組み付け装置は、定位柱１と複数の固定座台２と複数の連接片３とで構成される。
定位柱１はドア枠の上横桿と下横桿との間に固設され、その内側面には上下一列に設置される複数の座台孔１１と各座台孔１１の上下に各突起孔１２を設けている。
【０００６】
固定座台２は、図２、図３、図４に示す様に、定位柱１の座台孔１１の内側に熔接して固定され、座台孔１１と相対する隙間孔２１を持ち、隙間孔２１の上下には定位柱１の突起孔１２にはまるはめ突起２２を形成し、更に隙間孔２１の両側には直角に内側に折り曲げられた低壁２３と、両低壁２３の間には固定部２４が形成され、固定部２４の中央にはねじ孔２５を設けている。
【０００７】
図５に示す連接片３は、ほぼＬ字形にして、直立部３１と水平縦部３２と水平縦部３２から連続する水平横部３３と由直立部３１の上端から上に伸びたＬ字形の差しこみ部３４とを持ち、差しこみ部３４は固定部２４の上端と隙間孔２１の上縁との間に差しこまれる。更に直立部３１の中央にはねじ孔３５を持ち、ねじ孔３５は固定部２４のねじ孔２５と相向かい、水平縦部３２は直立部３１の下端から直角に前方伸び出て、水平横部３３は水平縦部３２から横方向に伸び出ておりピン孔３６を持つ。
【０００８】
ドアパネルの組み付け装置を組み合わせるときは、図６に示す様に、固定座台２のはめ突起２２を定位柱１の突起孔１２にはめ付け、隙間孔２１を座台孔１１と正確に向かい合わせて、固定座台２を定位柱１に固定させる。次に連接片３の直立部３１を定位柱１の座台孔１１に通過させて固定座台２の隙間孔２１の中にはめ付け、差しこみ部３４を固定部２４の上端と隙間孔２１の上縁との間に入れて安定させる。図１に示す様に、水平縦部３２の底面の内端は丁度座台孔１１の下縁に受け止められ、連接片３を安定させる。同時に、直立部３１のねじ孔３５は固定座台２の固定部２４のねじ孔２５と向かい合って、ねじ４をねじ孔２５とねじ孔３５とにねじ合わせて、連接片３を固定座台２に固く組み付け、且つ連接片３の水平横部３３のピン孔３６はパネル６のピン穴６１と向かい合って、ピン６２がピン孔３６とピン孔６１とに差しこまれ、パネル６は組み付け装置によりドア枠５に組み付けられて安定する。
【０００９】
（考案の効果）
本考案のドアパネルの組み付け装置は、パネルの寸法の大小によって区切り空間を調整することができる。即ち複数の固定座台２が定位柱１の上下にある間隔をへだてている座台孔に固設され、連接片３はどの固定座台２にも組み付けられ、各二本の定位柱の間に二枚、三枚或いは四枚の寸法が異なるパネルを連接片３で固定座台２に組み付けることができ、パネルのドア枠への組み付けや取りはずしはただピンを差し込んだり取り出したりするだけですむため非常に簡単であり、パネルの変換や貯蔵運送にも便利である。
【図面の簡単な説明】
【００１０】
【図１】本考案の一実施例によるドアパネルの組み付け装置を示す分解斜視図である。
【図２】本考案の一実施例によるドアパネルの組み付け装置の固定座台を示す正面図である。
【図３】本考案の一実施例によるドアパネルの組み付け装置の固定座台を示す斜視図である。
【図４】本考案の一実施例によるドアパネルの組み付け装置の固定座台の背面を示す斜視図である。
【図５】本考案の一実施例によるドアパネルの組み付け装置の連接片を示す斜視図である。
【図６】本考案の一実施例によるドアパネルの組み付け装置の側面を示す断面図である。
【図７】本考案の一実施例によるドアパネルの組み付け装置のパネルがドア枠に設置された状態を示す正面図である。
【符号の説明】
【００１１】
１:定位柱、１１：座台孔、１２：突起孔、２：固定座台、２１：隙間孔、２２：はめ突起、２３：低壁、２４：固定部、３：連接片、３１：直立部、３２：水平縦部、３３：水平横部、３４：差しこみ部、３５：ねじ孔、３６：ピン孔、４：ねじ、５：ドア枠、６：パネル、６１：ピン孔、６２：ピン
【図１】
0003130184.tif 000003
【図２】
0003130184.tif 000004
【図３】
0003130184.tif 000005
【図４】
0003130184.tif 000006
【図５】
0003130184.tif 000007
【図６】
0003130184.tif 000008
【図７】
0003130184.tif 000009